(57)【特許請求の範囲】
【請求項１】
端末装置から、第１の画像の構成に関する画像構成変更要求情報と、前記第１の画像を構成する第２の画像の画像情報と、を受信する表示側通信部と、
前記画像構成変更要求情報と、前記画像情報とに基づき、前記第１の画像を生成する表示側画像生成部と、
前記第１の画像を表示する表示側表示部と、
前記画像構成変更要求情報に基づき、前記画像情報が送信されていない場合、前記画像情報の送信開始要求情報を生成する表示側情報生成部と、
を含み、
前記表示側情報生成部は、
前記画像構成変更要求情報の受信に応じて、優先度を示す優先度情報を生成するとともに、当該優先度に応じた前記画像情報の受信が完了した場合に、当該優先度に応じた完了通知情報を生成し、
前記表示側通信部は、
前記送信開始要求情報を前記画像情報の送信元の端末装置へ向け送信し、
前記優先度情報を画像構成変更要求情報の送信元の端末装置へ向け送信し、
前記完了通知情報を画像構成変更要求情報の送信元の端末装置および前記画像情報の送信元の端末装置へ向け送信する、
表示装置。
【請求項２】
請求項１に記載の表示装置において、
前記表示側情報生成部は、前記画像構成変更要求情報に基づき、前記画像情報の送信を停止させる場合、前記画像情報の送信停止要求情報を生成し、
前記表示側通信部は、前記送信停止要求情報を前記画像情報の送信を停止させる端末装置へ向け送信する、
表示装置。
【請求項３】
請求項１に記載の表示装置において、
前記表示側画像生成部は、前記第１の画像を生成する前に、新たな前記画像構成変更要
求情報が前記表示側通信部によって受信された場合、新たな前記画像構成変更要求情報と、前記画像情報とに基づき、前記第１の画像を生成する、
表示装置。
【請求項４】
請求項１〜３のいずれかに記載の表示装置において、
前記表示側情報生成部は、前記画像構成変更要求情報に基づき、前記第１の画像の構成に関する画像構成情報を生成し、
前記表示側通信部は、前記画像構成情報を前記画像情報の送信元の端末装置へ向け送信する、
表示装置。
【請求項５】
請求項１〜４のいずれかに記載の表示装置と通信を行う端末装置において、
前記表示装置における画像の構成変更を要求することを示す構成変更要求イベントの発生に応じて、構成変更用画像を生成する端末側画像生成部と、
前記構成変更用画像を表示する端末側表示部と、
前記構成変更用画像が表示された状態における構成変更要求操作に応じて、画像構成変更要求情報を生成する端末側情報生成部と、 
前記画像構成変更要求情報を前記表示装置へ向け送信する端末側通信部と、
を含む端末装置。
【請求項６】
請求項５に記載の端末装置において、
前記端末側通信部は、前記表示装置から前記端末装置における画像情報の送信開始要求を示す送信開始要求情報を受信するとともに、前記送信開始要求情報に応じて前記画像情報を前記表示装置へ向け送信する、
端末装置。
【請求項７】
請求項６に記載の端末装置において、
前記端末側通信部は、前記表示装置から前記画像情報の送信停止要求を示す送信停止要求情報を受信するとともに、前記送信停止要求情報に応じて前記画像情報の送信を停止する、
端末装置。
【請求項８】
請求項５〜７のいずれかに記載の端末装置において、
前記端末側通信部は、前記表示装置から、前記画像構成情報の受信に応じた優先度を示す優先度情報と、当該優先度に応じたすべての画像情報が受信されたことを示す、当該優先度に応じた完了通知情報と、前記第１の画像の構成に関する画像構成情報と、を受信し、
前記端末側画像生成部は、前記優先度情報に含まれる優先度と、前記完了通知情報に含まれる優先度とが一致する場合、前記画像構成情報に基づき、前記構成変更用画像を変更し、前記優先度情報に含まれる優先度と、前記完了通知情報に含まれる優先度とが一致しない場合、前記構成変更用画像を変更しない、
端末装置。
【請求項９】
請求項５〜８のいずれかに記載の端末装置において、
前記端末側画像生成部は、前記構成変更要求操作に応じて前記構成変更用画像を変更し、
前記端末側画像表示部は、前記端末側画像生成部によって変更された前記構成変更用画像を表示する、
端末装置。
【請求項１０】
請求項１〜４のいずれかに記載の表示装置と通信を行う端末装置の有するコンピューターにおいて、
端末側表示部と、端末側通信部とを含む前記端末装置の有する前記コンピューターを、
前記表示装置における画像の構成変更を要求することを示す構成変更要求イベントの発生に応じて、構成変更用画像を生成する端末側画像生成部と、
前記構成変更用画像を前記端末側表示部に表示させる表示制御部と、
前記構成変更用画像が表示された状態における構成変更要求操作に応じて、画像構成変更要求情報を生成する端末側情報生成部と、
前記画像構成変更要求情報を、前記表示装置へ向け前記端末側通信部に送信させる通信制御部として機能させるプログラム。
【請求項１１】
端末側表示部と、端末側通信部とを含む端末装置の有するコンピューターにより読み取り可能なプログラムを記憶した情報記憶媒体であって、
請求項１０に記載のプログラムを記憶した情報記憶媒体。
【請求項１２】
表示側表示部と、表示側通信部とを含む表示装置の有するコンピューターが、
端末装置から、第１の画像の構成に関する画像構成変更要求情報と、前記第１の画像を構成する第２の画像の画像情報とを、前記表示側通信部に受信させ、
前記画像構成変更要求情報と、前記画像情報とに基づき、前記第１の画像を生成し、
前記第１の画像を前記表示側表示部に表示させ、
前記画像構成変更要求情報に基づき、前記画像情報が送信されていない場合、前記画像情報の送信開始要求情報を生成し、
前記画像構成変更要求情報の受信に応じて、優先度を示す優先度情報を生成するとともに、当該優先度に応じた前記画像情報の受信が完了した場合に、当該優先度に応じた完了通知情報を生成し、
前記表示側通信部に、
前記送信開始要求情報を前記画像情報の送信元の端末装置へ向け送信させ、
前記優先度情報を画像構成変更要求情報の送信元の端末装置へ向け送信させ、
前記完了通知情報を画像構成変更要求情報の送信元の端末装置および前記画像情報の送信元の端末装置へ向け送信させる、
表示方法。
【請求項１３】
請求項１〜４のいずれかに記載の表示装置と通信を行う端末装置の有するコンピューターにおいて、
端末側表示部と、端末側通信部とを含む端末装置の有する前記コンピューターが、
前記表示装置によって表示される第１の画像の構成変更を要求することを示す構成変更要求イベントの発生に応じて構成変更用画像を生成し、
前記構成変更用画像を前記端末側表示部に表示させ、
前記構成変更用画像が表示された状態における構成変更要求操作に応じて、画像構成変更要求情報を生成し、
前記画像構成変更要求情報を、前記表示装置へ向け前記端末側通信部に送信させる、
画像変更方法。
【発明の詳細な説明】
【技術分野】
【０００１】
本発明は、表示装置、端末装置、表示システム、プログラム、情報記憶媒体、表示方法および画像変更方法に関する。
【背景技術】
【０００２】
例えば、特開２００４−５４７８３号公報では、複数の端末機器からサイズ変換処理されたキャプチャー画像データを受信して１画面の画像データに合成して表示する表示システムが記載されている。また、当該公報では、表示装置のリモコン（リモートコントローラー）を操作して優先度を設定することにより、特定の端末装置の画像を拡大表示したり、消去したり、追加したりすることが記載されている。
【先行技術文献】
【特許文献】
【０００３】
【特許文献１】特開２００４−５４７８３号公報
【発明の概要】
【発明が解決しようとする課題】
【０００４】
しかし、例えば、会議等では参加者からの要求に応じてプレゼンターがリモコンで当該参加者の画像の拡大等を行う場合、プレゼンターが、当該参加者の画像の特定、要求内容の把握、要求に応じたリモコン操作を行わなければならず、操作に時間がかかってしまう。また、上記公報では、拡大表示させる分割画面等を端末機器側からも指定することが可能であると記載されているが、具体的な手法は記載されていない。
【０００５】
本発明にかかるいくつかの態様は、上記課題を解決することにより、端末装置ごとの第２の画像を含む第１の画像を表示装置が表示する場合に、端末装置からの指示に応じて第１の画像を変化させることが可能な表示装置、端末装置、表示システム、プログラム、情報記憶媒体、表示方法および画像変更方法を提供することにある。
【課題を解決するための手段】
【０００６】
本発明の態様の１つである表示装置は、端末装置から、第１の画像の構成に関する画像構成変更要求情報と、前記第１の画像を構成する第２の画像の画像情報と、を受信する表示側通信部と、前記画像構成変更要求情報と、前記画像情報とに基づき、前記第１の画像を生成する表示側画像生成部と、前記第１の画像を表示する表示側表示部と、を含むことを特徴とする。
【０００７】
また、本発明の態様の１つである端末装置は、表示装置における画像の構成変更を要求することを示す構成変更要求イベントの発生に応じて、構成変更用画像を生成する端末側画像生成部と、前記構成変更用画像を表示する端末側表示部と、前記構成変更用画像が表示された状態における構成変更要求操作に応じて、画像構成変更要求情報を生成する端末側情報生成部と、前記画像構成変更要求情報を前記表示装置へ向け送信する端末側通信部と、を含むことを特徴とする。
【０００８】
また、本発明の態様の１つである表示システムは、上記表示装置と、上記端末装置と、を含むことを特徴とする。
【０００９】
また、本発明の態様の１つであるプログラムは、端末側表示部と、端末側通信部とを含む端末装置の有するコンピューターを、表示装置における画像の構成変更を要求することを示す構成変更要求イベントの発生に応じて、構成変更用画像を生成する端末側画像生成部と、前記構成変更用画像を前記端末側表示部に表示させる表示制御部と、前記構成変更用画像が表示された状態における構成変更要求操作に応じて、画像構成変更要求情報を生成する端末側情報生成部と、前記画像構成変更要求情報を、前記表示装置へ向け前記端末側通信部に送信させる通信制御部として機能させることを特徴とする。
【００１０】
また、本発明の態様の１つである情報記憶媒体は、端末側表示部と、端末側通信部とを含む端末装置の有するコンピューターにより読み取り可能なプログラムを記憶した情報記憶媒体であって、上記プログラムを記憶したことを特徴とする。
【００１１】
また、本発明の態様の１つである表示方法は、表示側表示部と、表示側通信部とを含む表示装置の有するコンピューターが、端末装置から、第１の画像の構成に関する画像構成変更要求情報と、前記第１の画像を構成する第２の画像の画像情報とを、前記表示側通信部に受信させ、前記画像構成変更要求情報と、前記画像情報とに基づき、前記第１の画像を生成し、前記第１の画像を前記表示側表示部に表示させることを特徴とする。
【００１２】
また、本発明の態様の１つである画像変更方法は、端末側表示部と、端末側通信部とを含む端末装置の有するコンピューターが、表示装置によって表示される第１の画像の構成変更を要求することを示す構成変更要求イベントの発生に応じて構成変更用画像を生成し、前記構成変更用画像を前記端末側表示部に表示させ、前記構成変更用画像が表示された状態における構成変更要求操作に応じて、画像構成変更要求情報を生成し、前記画像構成変更要求情報を、前記表示装置へ向け前記端末側通信部に送信させることを特徴とする。
【００１３】
本発明によれば、表示装置等は、端末装置から第１の画像の構成に関する画像構成変更要求情報を受信し、画像構成変更要求情報に応じて第１の画像を生成することにより、端末装置ごとの第２の画像を含む第１の画像を表示装置が表示する場合に、端末装置からの指示に応じて第１の画像を変化させることができる。
【００１４】
また、本発明によれば、端末装置等は、第１の画像の構成に関する画像構成変更要求情報を送信することにより、端末装置ごとの第２の画像を含む第１の画像を表示装置が表示する場合に、端末装置からの指示に応じて第１の画像を変化させることができる。
【００１５】
また、前記表示装置は、前記画像構成変更要求情報に基づき、前記画像情報が送信されていない場合、前記画像情報の送信開始要求情報を生成する表示側情報生成部を含み、前記表示側通信部は、前記送信開始要求情報を前記画像情報の送信元の端末装置へ向け送信してもよい。
【００１６】
また、前記端末側通信部は、前記表示装置から前記端末装置における画像情報の送信開始要求を示す送信開始要求情報を受信するとともに、前記送信開始要求情報に応じて前記画像情報を前記表示装置へ向け送信してもよい。
【００１７】
これらによれば、表示装置等は、送信開始要求情報を送受信することにより、新たに画像情報の送信が必要になった場合であっても当該画像情報を用いて第１の画像を生成することができる。
【００１８】
また、前記表示側情報生成部は、前記画像構成変更要求情報に基づき、前記画像情報の送信を停止させる場合、前記画像情報の送信停止要求情報を生成し、前記表示側通信部は、前記送信停止要求情報を前記画像情報の送信を停止させる端末装置へ向け送信してもよい。
【００１９】
また、前記端末側通信部は、前記表示装置から前記画像情報の送信停止要求を示す送信停止要求情報を受信するとともに、前記送信停止要求情報に応じて前記画像情報の送信を停止してもよい。
【００２０】
これらによれば、表示装置等は、送信停止要求情報を送受信することにより、画像情報の送信が不要になった場合であっても当該画像情報を用いないで第１の画像を生成することができる。
【００２１】
また、前記表示側情報生成部は、前記画像構成変更要求情報の受信に応じて、優先度を示す優先度情報を生成するとともに、当該優先度に応じた前記画像情報の受信が完了した場合に、当該優先度に応じた完了通知情報を生成し、前記表示側通信部は、前記優先度情報を画像構成変更要求情報の送信元の端末装置へ向け送信するとともに、前記完了通知情報を画像構成変更要求情報の送信元の端末装置および前記画像情報の送信元の端末装置へ向け送信してもよい。
【００２２】
また、前記表示側画像生成部は、前記第１の画像を生成する前に、新たな前記画像構成変更要求情報が前記表示側通信部によって受信された場合、新たな前記画像構成変更要求情報と、前記画像情報とに基づき、前記第１の画像を生成してもよい。
【００２３】
また、前記端末側通信部は、前記表示装置から、前記画像構成情報の受信に応じた優先度を示す優先度情報と、当該優先度に応じたすべての画像情報が受信されたことを示す、当該優先度に応じた完了通知情報と、前記第１の画像の構成に関する画像構成情報と、を受信し、前記端末側画像生成部は、前記優先度情報に含まれる優先度と、前記完了通知情報に含まれる優先度とが一致する場合、前記画像構成情報に基づき、前記構成変更用画像を変更し、前記優先度情報に含まれる優先度と、前記完了通知情報に含まれる優先度とが一致しない場合、前記構成変更用画像を変更しなくてもよい。
【００２４】
これらによれば、表示装置等は、優先度情報等を送受信することにより、ほぼ同時に画像構成変更要求があった場合であっても、画像の構成変更を抑制することができるため、画像のちらつき等の発生を低減できる。
【００２５】
また、前記表示側情報生成部は、前記画像構成変更要求情報に基づき、前記第１の画像の構成に関する画像構成情報を生成し、前記表示側通信部は、前記画像構成情報を前記画像情報の送信元の端末装置へ向け送信してもよい。
【００２６】
これによれば、表示装置等は、第１の画像の構成に関する画像構成情報を端末装置に送信することにより、当該端末装置は、第１の画像の構成を把握することができる。
【００２７】
また、前記端末側画像生成部は、前記構成変更要求操作に応じて前記構成変更用画像を変更し、前記端末側画像表示部は、前記端末側画像生成部によって変更された前記構成変更用画像を表示してもよい。
【００２８】
これによれば、端末装置等は、構成変更要求操作に応じて構成変更用画像を変更することにより、ユーザーは、現在の画像の構成を把握することができる。
【図面の簡単な説明】
【００２９】
【図１】第１の実施例における表示システムの一例を示す図である。
【図２】第１の実施例におけるプロジェクターの機能ブロック図である。
【図３】第１の実施例におけるＰＣの機能ブロック図である。
【図４】第１の実施例におけるＰＣでの構成変更時の処理手順を示すフローチャートである。
【図５】第１の実施例におけるＰＣでの受付番号に応じた画像構成変更手順を示すフローチャートである。
【図６】第１の実施例におけるプロジェクターでの表示手順を示すフローチャートである。
【図７】第１の実施例におけるＰＣとプロジェクターでの情報のやりとりを示すシーケンス図である。
【図８】第１の実施例における構成変更用画像の一例を示す図である。
【図９】第１の実施例におけるプレゼンテーション画像の一例を示す図である。
【図１０】第１の実施例における構成変更用画像の他の一例を示す図である。
【図１１】第１の実施例におけるプレゼンテーション画像の他の一例を示す図である。
【図１２】第１の実施例における受付番号、仮画像構成、画像構成の遷移の一例を示す図である。
【図１３】第２の実施例における表示システムの一例を示す図である。
【発明を実施するための形態】
【００３０】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００３１】
（第１の実施例）
図１は、第１の実施例における表示システムの一例を示す図である。表示システムは、表示装置の一種であるプロジェクター１００と、端末装置の一種である４台のＰＣ２００−１〜２００−４を含んで構成されている。各ＰＣ２００は、無線（有線でもよい）でプロジェクター１００と通信が行えるように構成されている。ここでは、４人のユーザーがそれぞれＰＣ２００を用いた操作を行いつつ、プロジェクター１００によって投写されるプレゼンテーション画像を観察するものとする。
【００３２】
プロジェクター１００は、ＰＣ２００から画像構成変更要求情報を受信し、当該画像構成変更要求情報に応じてプレゼンテーション画像（第１の画像）を構成する個別画像（第２の画像）を変更し、変更したプレゼンテーション画像を投写する機能を有している。また、ＰＣ２００は、プロジェクター１００によって提供される受付番号（優先度）に応じて画像構成を変更するかどうかを決定する機能を有している。
【００３３】
次に、このような機能を有するプロジェクター１００の機能ブロックについて説明する。図２は、第１の実施例におけるプロジェクター１００の機能ブロック図である。プロジェクター１００は、ＰＣ２００と通信を行う表示側通信部１１０と、種々の情報を生成する表示側情報生成部１２０と、種々の画像を生成する表示側画像生成部１３０と、種々のデータを記憶する記憶部１４０と、記憶部１４０内のデータを更新する更新部１５０と、表示側表示部の一種である投写部１９０を含んで構成されている。
【００３４】
また、記憶部１４０は、受付番号を示す受付番号データ１４２、変更予定の画像構成を示す仮画像構成データ１４３、確定した画像構成を示す画像構成データ１４４、通信対象の装置を示す装置管理データ１４６、ＰＣ２００から受信した画像情報等を示す画像データ１４８等を記憶している。
【００３５】
なお、プロジェクター１００は、以下のハードウェアを用いてこれらの各部として機能してもよい。例えば、プロジェクター１００は、表示側通信部１１０は無線通信ユニット等、表示側情報生成部１２０、更新部１５０はＣＰＵ等、表示側画像生成部１３０は画像処理回路等、記憶部１４０はＲＡＭ等、投写部１９０はランプ、液晶パネル、液晶駆動回路、レンズ等を用いてもよい。
【００３６】
次に、上述した機能を有するＰＣ２００の機能ブロックについて説明する。図３は、第１の実施例におけるＰＣ２００の機能ブロック図である。ＰＣ２００は、プロジェクター１００と通信を行う端末側通信部２１０と、種々の情報を生成する端末側情報生成部２２０と、種々の画像を生成する端末側画像生成部２３０と、種々のデータを記憶する記憶部２４０と、記憶部２４０内のデータを更新する更新部２５０と、ユーザーの操作を受け付ける操作部２６０と、端末側表示部２９０を含んで構成されている。
【００３７】
また、記憶部２４０は、受付番号を示す受付番号データ２４２、変更予定の画像構成を示す仮画像構成データ２４３、確定した画像構成を示す画像構成データ２４４、通信対象の装置を示す装置管理データ２４６、画像情報等を示す画像データ２４８等を記憶している。
【００３８】
なお、ＰＣ２００は、以下のハードウェアを用いてこれらの各部として機能してもよい。例えば、ＰＣ２００は、端末側通信部２１０は無線通信ユニット等、端末側情報生成部２２０、更新部２５０はＣＰＵ等、端末側画像生成部２３０は画像処理回路等、記憶部２４０はＲＡＭ等、操作部２６０はキーボード、マウス等、端末側表示部２９０は液晶ディスプレイ等を用いてもよい。
【００３９】
また、ＰＣ２００の有するコンピューターは、情報記憶媒体２８０に記憶されたプログラムを読み取って端末側画像生成部２３０等として機能してもよい。このような情報記憶媒体２８０としては、例えば、ＣＤ−ＲＯＭ、ＤＶＤ−ＲＯＭ、ＲＯＭ、ＲＡＭ、ＨＤＤ等を適用できる。
【００４０】
次に、プロジェクター１００とＰＣ２００を用いた画像の構成変更要求に応じたプレゼンテーション画像の投写手順について説明する。図４は、第１の実施例におけるＰＣ２００での構成変更時の処理手順を示すフローチャートである。また、図５は、第１の実施例におけるＰＣ２００での受付番号に応じた画像構成変更手順を示すフローチャートである。また、図６は、第１の実施例におけるプロジェクター１００での表示手順を示すフローチャートである。また、図７は、第１の実施例におけるＰＣ２００とプロジェクター１００での情報のやりとりを示すシーケンス図である。
【００４１】
ＰＣ２００の端末側通信部２１０は、接続の確立によってプロジェクター１００と通信可能になった状態でプロジェクター１００から画像構成情報を受信し、更新部２５０は当該画像構成情報で示される画像構成となるように画像構成データ２４４を更新する（ステップＳ１）。なお、ＰＣ２００の更新部２５０は、接続の確立に応じて通信可能な装置を更新するように装置管理データ２４６を更新し、プロジェクター１００の更新部１５０は、接続の確立に応じて通信可能な装置を更新するように装置管理データ１４６を更新してもよい。
【００４２】
ユーザーは、操作部２６０を用いて画像の構成変更要求を行う。端末側情報生成部２２０は、操作部２６０からの情報に基づき、画像の構成変更要求があったかどうかを判定し（ステップＳ２）、画像の構成変更要求があった場合は端末側画像生成部２３０に制御情報を出力する。
【００４３】
端末側画像生成部２３０は、当該制御情報に応じて、画像構成データ２４４に基づき、プレゼンテーション画像の構成を変更するための構成変更用画像を生成し、端末側表示部２９０は、当該構成変更用画像を現在の画像に重ねて表示する（ステップＳ３）。すなわち、構成変更用画像は、ＯＳＤ（On Screen Display）画像であってもよい。
【００４４】
図８は、第１の実施例における構成変更用画像３００の一例を示す図である。また、図９は、第１の実施例におけるプレゼンテーション画像４００の一例を示す図である。例えば、構成変更用画像３００は、「ファイル」、「ツール」、「ヘルプ」等のメニュー画像３１０、接続中のプロジェクター１００の識別名を示す画像３２０、画像構成の選択ボタン画像３３０、現在の画像構成を示す画像３４０、接続中のＰＣ２００の識別名を示すアイコン画像３５０等を含む。
【００４５】
図８の例では、ＰＣ２００−１の個別画像のみを表示する画像構成になっている。この場合のプレゼンテーション画像４００は図９に示す画像である。プレゼンテーション画像４００は、ＰＣ２００−１からの画像情報に基づく個別画像４１０を含む。
【００４６】
なお、ここでは、画像構成の選択ボタン画像３３０は、１つの個別画像のみを表示するボタン画像、２つの個別画像を左右に表示するボタン画像、４つの個別画像を２行２列で表示するボタン画像の３種類がある。もちろん、個別画像の構成はこれらの構成に限定されない。
【００４７】
ユーザーは、構成変更用画像３００が表示された状態で、選択ボタン画像３３０をクリックしたり、アイコン画像３５０を中央にある現在の画像構成を示す画像３４０にドラッグアンドドロップしたりすることにより、構成変更要求操作を行う。
【００４８】
端末側情報生成部２２０は、操作部２６０からの操作情報に基づき、構成変更要求操作（構成変更要求イベントの発生）があったかどうかを判定する（ステップＳ４）。端末側情報生成部２２０は、構成変更要求操作があった場合、制御情報を更新部２５０に出力する。
【００４９】
更新部２５０は、当該制御情報に応じて仮画像構成データ２４３、画像構成データ２４４を更新する（ステップＳ５）。端末側画像生成部２３０は、更新された画像構成データ２４４に基づき、構成変更用画像を生成し、端末側表示部２９０は、当該構成変更用画像を表示する（ステップＳ６）。
【００５０】
また、端末側情報生成部２２０は、構成変更要求操作があった場合、構成変更要求操作に応じて画像構成変更要求情報（例えば、個別画像の配置、各個別画像を構成するＰＣ２００の識別情報を示す情報等）を生成し、プロジェクター１００へ向け送信する（ステップＳ７）。例えば、画像構成変更要求情報は、選択された選択ボタン画像の種別、表示対象に割り当てられたＰＣ２００の識別情報、送信元のＰＣ２００の識別情報等を示す情報である。
【００５１】
端末側情報生成部２２０は、操作部２６０からの操作情報に基づき、構成変更用画像３００の表示終了指示があったかどうかを判定し（ステップＳ８）、表示終了指示があった場合、構成変更用画像３００の生成を終了するように端末側画像生成部２３０を制御する。
【００５２】
図１０は、第１の実施例における構成変更用画像３０１の他の一例を示す図である。例えば、図８に示す構成変更用画像３００が表示された状態で、ユーザーが、２つの個別画像を左右に表示する選択ボタン画像３３０を選択した場合、端末側表示部２９０は、図１０に示す構成変更用画像３０１を表示する。
【００５３】
プロジェクター１００の表示側情報生成部１２０は、表示側通信部１１０によってＰＣ２００からの画像構成変更要求情報が受信されたかどうかを判定する（ステップＰ１）。画像構成変更要求情報が受信された場合、表示側情報生成部１２０は、制御情報を更新部１５０に出力し、更新部１５０は、当該制御情報に応じて受付番号を１つ増加させるように受付番号データ１４２を更新する（ステップＰ２）。
【００５４】
また、更新部１５０は、画像構成変更要求情報に基づき、仮画像構成データ１４３を更新し、表示側情報生成部１２０は、仮画像構成データ１４３、画像構成データ１４４に基づき、受付番号データ１４２に基づく最新の受付番号を示す受付番号情報（優先度情報）を含み、個別画像の構成（例えば、個別画像の配置、各個別画像を構成するＰＣ２００の識別情報を示す情報等）を示す画像構成情報を生成し、新たに画像情報が必要になる場合は送信開始要求情報を生成し、画像情報が不要になる場合は送信停止要求情報を生成し、表示側通信部１１０は、これらの情報を各ＰＣ２００へ向け送信する（ステップＰ３）。
【００５５】
例えば、表示側通信部１１０は、新たに画像情報の送信元となるＰＣ２００へ向け送信開始要求情報を送信し、画像情報の送信が不要になるＰＣ２００へ向け送信停止要求情報を送信する方式を採用してもよいし、通信可能なすべてのＰＣ２００へ向け送信開始要求情報および送信停止要求情報を送信する方式を採用してもよい。ここでは、前者の方式が採用されたものとする。
【００５６】
ＰＣ２００の更新部２５０は、端末側通信部２１０によってプロジェクター１００から受付番号情報を含む画像構成情報が受信されたかどうかを判定し（ステップＳ１１）、当該画像構成情報が受信された場合、当該受付番号情報に基づき、受付番号データ２４２を更新し（ステップＳ１２）、当該画像構成情報に基づき、仮画像構成データ２４３を更新する（ステップＳ１３）。
【００５７】
また、端末側情報生成部２２０は、端末側通信部２１０によってプロジェクター１００から送信開始要求情報が受信されたかどうかを判定し（ステップＳ１４）、送信開始要求情報が受信された場合、当該送信開始要求情報と、画像データ２４８に基づき、画像情報を生成し、端末側通信部２１０は、当該画像情報をプロジェクター１００へ向け送信する（ステップＳ１５）。なお、端末側情報生成部２２０は、端末側画像生成部２３０からの情報に基づき、端末側画像生成部２３０が表示中の画像（構成変更用画像３００、３０１を除く）をキャプチャーし、更新部２５０は、当該キャプチャーされた情報に基づき、表示中の画像を示すように画像データ２４８を更新してもよい。
【００５８】
また、端末側情報生成部２２０は、端末側通信部２１０によってプロジェクター１００から送信停止要求情報が受信されたかどうかを判定し（ステップＳ１６）、送信停止要求情報が受信された場合、当該送信停止要求情報に基づき、画像情報の生成を停止する（ステップＳ１７）。これにより、当該ＰＣ２００における画像情報の送信も停止される。
【００５９】
プロジェクター１００の表示側通信部１１０は、ＰＣ２００から画像情報を受信し、更新部１５０は、当該画像情報に基づき、画像データ１４８を更新する（ステップＰ４）。なお、更新部１５０は、画像構成データ１４４に基づき、当該画像情報の受信に応じて個別画像４１０を構成するＰＣ２００ごとの画像情報が受信済みかどうかを示すように装置管理データ１４６を更新してもよい。
【００６０】
表示側情報生成部１２０は、当該画像情報と、画像構成データ１４４と、装置管理データ１４６に基づき、必要となるすべての画像情報の受信が完了したかどうかを判定する（ステップＰ５）。
【００６１】
必要となるすべての画像情報の受信が完了した場合、表示側情報生成部１２０は、受付番号データ１４２に基づき、最新の受付番号を示す情報を含む完了通知情報を生成し、表示側通信部１１０は、当該完了通知情報を各ＰＣ２００へ向け送信する（ステップＰ６）。
【００６２】
ＰＣ２００の更新部２５０は、端末側通信部２１０によってプロジェクター１００から完了通知情報が受信されたかどうかを判定し（ステップＳ１８）、完了通知情報が受信された場合、当該完了通知情報で示される受付番号が受付番号データ２４２で示される受付番号と一致するかどうかを判定する（ステップＳ１９）。一致する場合、更新部２５０は、仮画像構成データ２４３を画像構成データ２４４に反映する更新を行う（ステップＳ２０）。一方、一致しない場合、更新部２５０は、画像構成データ２４４を更新しない。
【００６３】
プロジェクター１００の更新部１５０も同様に、完了通知情報で示される受付番号が受付番号データ１４２で示される受付番号と一致するかどうかを判定し（ステップＰ７）、一致する場合、仮画像構成データ１４３を画像構成データ１４４に反映する更新を行う（ステップＰ８）。一方、一致しない場合、更新部１５０は、画像構成データ１４４を更新しない。
【００６４】
表示側画像生成部１３０は、画像構成データ１４４と、画像データ１４８に基づき、画像構成に応じたプレゼンテーション画像を生成し、投写部１９０は、当該プレゼンテーション画像を投写する（ステップＰ９）。
【００６５】
図１１は、第１の実施例におけるプレゼンテーション画像４０１の他の一例を示す図である。プレゼンテーション画像４０１は、２つの個別画像４１１、４１２を含む。例えば、図１０に示す構成変更用画像３０１に対するすべての画像情報の受信が完了した場合、プロジェクター１００は、プレゼンテーション画像４０１を投写する。
【００６６】
プロジェクター１００は、終了指示があったかどうかを判定し（ステップＰ１０）、終了指示があるまで上述した一連の処理（ステップＰ１〜Ｐ１０）を繰り返し実行する。
【００６７】
ここで、ＰＣ２００−１が４つの個別画像でプレゼンテーション画像を構成する画像の構成変更要求を行った直後にＰＣ２００−２がＰＣ２００−２とＰＣ２００−３の２つの個別画像でプレゼンテーション画像を構成する画像の構成変更要求を行った場合の具体例について説明する。
【００６８】
図１２は、第１の実施例における受付番号、仮画像構成、画像構成の遷移の一例を示す図である。なお、図１２において、ＰＣ２００−１がＣＰＡであり、ＰＣ２００−２がＣＰＢであり、ＰＣ２００−３がＣＰＣであり、ＰＣ２００−４がＣＰＤであり、プロジェクター１００がＥＢＰＪである。
【００６９】
時点ｔ０において、受付番号データ１４２、２４２は、受付番号１を示し、仮画像構成データ１４３、２４３は１つの個別画像で構成されることを示し、画像構成データ１４４、２４４も１つの個別画像で構成されることを示す。なお、実際には、仮画像構成データ１４３、２４３および画像構成データ１４４、２４４には、当該個別画像がどのＰＣ２００に対応したものであるかを示す情報等も含まれる。
【００７０】
まず、ＰＣ２００−１が画像の構成変更要求を行うことにより、プロジェクター１００は、受付番号２を示す受付番号情報を含み、４つの個別画像で構成されることを示す画像構成情報を各ＰＣ２００へ向け送信し、送信開始要求情報をＰＣ２００−２〜２００−４へ向け送信する。この時点（時点ｔ１）で、各ＰＣ２００の受付番号データ２４２は受付番号２を示し、プロジェクター１００の受付番号データ１４２も受付番号２を示す。また、仮画像構成データ１４３、２４３は４つの個別画像で構成されることを示し、ＰＣ２００−１以外の画像構成データ１４４、２４４は１つの個別画像で構成されることを示し、ＰＣ２００−１の画像構成データ１４４は４つの個別画像で構成されることを示す。
【００７１】
プロジェクター１００は、ＰＣ２００−１〜２００−４からの画像情報の受信完了前にＰＣ２００−２から画像構成変更要求情報を受信し、受付番号３を示す受付番号情報を含み、２つの個別画像で構成されることを示す画像構成情報を各ＰＣ２００へ向け送信し、送信停止要求情報をＰＣ２００−１、２００−４へ向け送信する。この時点（時点ｔ２）で、各ＰＣ２００の受付番号データ２４２およびプロジェクター１００の受付番号データ１４２は受付番号３を示す。また、ＰＣ２００−１〜２００−４の仮画像構成データ２４３は２つの画像で構成されることを示し、ＰＣ２００−１、２００−２以外の画像構成データ２４４は１つの個別画像で構成されることを示し、ＰＣ２００−１の画像構成データ１４４は４つの個別画像で構成されることを示し、ＰＣ２００−２の画像構成データ１４４は２つの個別画像で構成されることを示す。また、プロジェクター１００の仮画像構成データ１４３は２つの個別画像で構成されることを示し、画像構成データ１４４は１つの個別画像で構成されることを示す。
【００７２】
プロジェクター１００は、装置管理データ１４６に基づき、受付番号２に対する画像情報の受信が完了した場合、受付番号２に対する完了通知情報をＰＣ２００−１〜２００−４へ向け送信する。当該完了通知情報は受付番号２を示す。この時点で、各ＰＣ２００の受付番号データ２４２は受付番号３であり、完了通知情報の受付番号と一致しないため、仮画像構成データ２４３は画像構成データ２４４に反映されない。また、プロジェクター１００の受付番号データ１４２も受付番号３であり、完了通知情報の受付番号と一致しないため、仮画像構成データ１４３は画像構成データ１４４に反映されない。
【００７３】
したがって、この時点（時点ｔ４）で、プロジェクター１００は、ＰＣ２００−１の個別画像のみを投写し、ＰＣ２００−１の構成変更用画像３００は４つの個別画像を示し、ＰＣ２００−２の構成変更用画像３００は２つの個別画像を示し、ＰＣ２００−３、２００−４の構成変更用画像３００は１つの個別画像を示す。
【００７４】
その後、プロジェクター１００は、受付番号３に対するすべての画像情報を受信した場合、受付番号３に対する完了通知情報を各ＰＣ２００へ向け送信する。当該完了通知情報は受付番号３を示す。この場合、各ＰＣ２００の受付番号データ２４２は受付番号３であり、完了通知情報の受付番号と一致するため、仮画像構成データ２４３は画像構成データ２４４に反映される。また、プロジェクター１００は、受付番号３に対する完了通知情報に対し、受付番号データ１４２の受付番号も３であり、一致しているため、仮画像構成データ１４３は画像構成データ１４４に反映される。
【００７５】
したがって、この時点（時点ｔ５）で、プロジェクター１００は、ＰＣ２００−２、２００−３の２つの個別画像を投写し、ＰＣ２００−１〜２００−４の構成変更用画像３００はＰＣ２００−２、２００−３の２つの個別画像を示す。
【００７６】
以上のように、本実施例によれば、プロジェクター１００は、ＰＣ２００からプレゼンテーション画像４０１の構成に関する画像構成変更要求情報を受信し、画像構成変更要求情報に応じてプレゼンテーション画像４０１を生成することにより、ＰＣ２００ごとの個別画像４１１、４１２を含むプレゼンテーション画像４０１をプロジェクター１００が投写する場合に、ＰＣ２００からの指示に応じて第１の画像を変化させることができる。これにより、プロジェクター１００は、ユーザーの利便性を向上させることができる。
【００７７】
また、本実施例によれば、プロジェクター１００は、送信開始要求情報を送受信することにより、新たに画像情報の送信が必要になった場合であっても当該画像情報を用いてプレゼンテーション画像４００、４０１を生成することができる。
【００７８】
また、本実施例によれば、プロジェクター１００は、送信停止要求情報を送受信することにより、画像情報の送信が不要になった場合であっても当該画像情報を用いないでプレゼンテーション画像４００、４０１を生成することができる。
【００７９】
また、本実施例によれば、プロジェクター１００は、受付番号を示す画像構成情報等を送受信することにより、ほぼ同時に画像構成変更要求があった場合であっても、画像の構成変更を抑制することができるため、画像のちらつき等の発生を低減できる。
【００８０】
また、本実施例によれば、プロジェクター１００は、プレゼンテーション画像４００、４０１の構成に関する画像構成情報をＰＣ２００に送信することにより、当該ＰＣ２００は、プレゼンテーション画像４００、４０１の構成を把握することができる。
【００８１】
また、本実施例によれば、ＰＣ２００は、構成変更要求操作に応じて構成変更用画像３００、３０１を変更することにより、ユーザーは、現在の画像の構成を把握することができる。
【００８２】
（第２の実施例）
第１の実施例では、１台の表示装置を用いているが、複数の表示装置を用いてもよい。図１３は、第２の実施例における表示システムの一例を示す図である。
【００８３】
本実施例における表示システムは、画像の構成を主体的に行うプロジェクター１００−１と、画像の構成を従属的に行うプロジェクター１００−２と、４台のＰＣ２００−１〜２００−４を含んで構成されている。
【００８４】
なお、プロジェクター１００−１とプロジェクター１００−２は相互に通信を行わない。すなわち、プロジェクター１００−１は、第１の実施例のプロジェクター１００として機能し、プロジェクター１００−２は、各ＰＣ２００からの画像構成情報に基づき、受付番号データ１４２、画像構成データ１４４等を更新し、画像構成データ１４４等に基づいてプレゼンテーション画像を投写する。
【００８５】
以上のように、本実施例によっても、プロジェクター１００は、第１の実施例と同様の作用効果を奏する。
【００８６】
（その他の実施例）
なお、本発明の適用は上述した実施例に限定されず、種々の変形が可能である。例えば、表示装置は、プロジェクター１００に限定されず、テレビ、液晶モニター、投写機能を有する電子機器（例えば、デジタルカメラ、携帯電話等）等であってもよい。また、端末装置は、ＰＣ２００に限定されず、例えば、携帯電話、携帯情報端末等であってもよい。また、端末装置の台数は４台に限定されず、３台以下であってもよいし、５台以上であってもよい。
【００８７】
また、上述した実施例では、プロジェクター１００は、受付番号情報を含む画像構成情報を用いているが、受付番号情報と画像構成情報を個別に用いてもよい。また、表示側通信部１１０は、受付番号情報を画像構成変更要求情報の送信元のＰＣ２００のみに送信してもよい。また、表示側通信部１１０は、画像構成情報を画像情報の送信元のＰＣ２００のみに送信してもよい。
【００８８】
また、上述した実施例では、優先度として受付番号を用いているが、番号に限らず、起動、文字等であってもよい。この場合、更新部１５０は、文字等をより優先度の高い文字等に更新すればよい。
【００８９】
また、プロジェクター１００は、装置管理データ１４６の一部として、ＰＣ２００、ユーザー、グループ等の所定の管理単位ごとの画像構成に対する変更の権限を示す権限データを設け、表示側情報生成部１２０は、当該権限データを用いて画像の構成変更を受け付けるか却下するかを決定してもよい。また、受付番号データ１４２、仮画像構成データ１４３、装置管理データ１４６等のデータや更新部１５０は必須ではない。例えば、更新部１５０は、画像変更要求のある度に画像構成データ１４４を更新してもよいし、表示側画像生成部１３０は、画像構成変更要求情報と、画像情報に基づき、個別画像の構成を変更してプレゼンテーション画像を生成してもよい。
【００９０】
また、プロジェクター１００の有するコンピューターは、情報記憶媒体に記憶されたプログラムを読み取って表示側情報生成部１２０等として機能してもよい。このような情報記憶媒体としては、例えば、ＣＤ−ＲＯＭ、ＤＶＤ−ＲＯＭ、ＲＯＭ、ＲＡＭ、ＨＤＤ等を適用できる。
【００９１】
また、プロジェクター１００は、液晶プロジェクター（透過型、ＬＣＯＳ等の反射型）に限定されず、例えば、デジタルマイクロミラーデバイスを用いたプロジェクター等であってもよい。また、プロジェクター１００の機能を複数の装置（例えば、ＰＣとプロジェクター等）に分散してもよい。
【符号の説明】
【００９２】
１００  プロジェクター（表示装置）、１１０  表示側通信部、１２０  表示側情報生成部、１３０  表示側画像生成部、１４０、２４０  記憶部、１４２、２４２  受付番号データ、１４３、２４３  仮画像構成データ、１４４、２４４  画像構成データ、１４６、２４６  装置管理データ、１４８、２４８  画像データ、１５０、２５０  更新部、１９０  投写部（表示側表示部）、２００  ＰＣ（端末装置）、２１０  端末側通信部、２２０  端末側情報生成部、２３０  端末側画像生成部、２６０  操作部、２８０  情報記憶媒体、２９０  端末側表示部、３００、３０１  構成変更用画像、３１０  メニュー画像、３２０、３４０  画像、３３０  選択ボタン画像、３５０  アイコン画像、４００、４０１  プレゼンテーション画像（第１の画像）、４１０〜４１２  個別画像（第２の画像）
【図１】
0005522381.tif 000002
【図２】
0005522381.tif 000003
【図３】
0005522381.tif 000004
【図４】
0005522381.tif 000005
【図５】
0005522381.tif 000006
【図６】
0005522381.tif 000007
【図７】
0005522381.tif 000008
【図９】
0005522381.tif 000009
【図１１】
0005522381.tif 000010
【図１２】
0005522381.tif 000011
【図１３】
0005522381.tif 000012
【図８】
0005522381.tif 000013
【図１０】
0005522381.tif 000014